(57)【要約】【課題】画質の良好な虚像を観察可能な虚像観察光学系を提供する。【解決手段】画像光を入射する入射面５ａと、入射面５ａから入射された記画像光を反射させる反射面５ｂと、反射面５ｂで反射された画像光を射出する射出面５ｃと、を有する導光プリズム５を備え、導光プリズム５は、反射面５ｂと反射面５ｂが隣接するプリズム側面８ａ〜８ｄとの境界の少なくとも一辺に形成された境界斜面部９ａ、９ｂを有し、導光プリズム５の外側における反射面５ｂと境界斜面部９ａ、９ｂとのなす角度が１８０度よりも小さい。【選択図】図２
2015179200.tif 000002
【特許請求の範囲】
【請求項１】
画像光を入射する入射面と、
該入射面から入射された前記画像光を反射させる反射面と、
該反射面で反射された前記画像光を射出する射出面と、を有する導光プリズムを備え、
前記導光プリズムは、前記反射面と該反射面が隣接するプリズム側面との境界の少なくとも一辺に形成された境界斜面部を有し、
前記導光プリズムの外側における前記反射面と前記境界斜面部とのなす角度が１８０度よりも小さい、
ことを特徴とする虚像観察光学系。
【請求項２】
前記境界斜面部は、前記反射面の対向する二辺に形成されている、ことを特徴とする請求項１に記載の虚像観察光学系。
【請求項３】
前記反射面は反射膜を有し、
前記反射膜の境界が前記境界斜面部にある、ことを特徴とする請求項１又は２に記載の虚像観察光学系。
【請求項４】
前記反射面を保護する保護部材をさらに備え、
前記保護部材は、前記境界斜面部に当接して前記反射面との間に空気層を形成する、ことを特徴とする請求項１乃至３のいずれかに記載の虚像観察光学系。
【請求項５】
前記導光プリズムは、第１の反射面及び第２の反射面を有し、前記入射面から入射された前記画像光を前記第１の反射面及び前記第２の反射面を経て前記射出面から射出するものであり、
前記第１の反射面及び前記第２の反射面と前記プリズム側面とのそれぞれの境界には、前記境界斜面部が形成されており、
前記第１の反射面側の前記境界斜面部の延在方向と、前記第２の反射面側の前記境界斜面部の延在方向とが異なる、ことを特徴とする請求項１乃至４のいずれかに記載の虚像観察光学系。
【請求項６】
前記射出面から射出される前記画像光を拡大虚像として観察させるための接眼部をさらに備える、ことを特徴とする請求項１乃至５のいずれかに記載の虚像観察光学系。
【請求項７】
表示素子と、
請求項請求項１乃至５のいずれかに記載の虚像観察光学系と、
前記表示素子及び前記虚像観察光学系を観察者の頭部に支持する支持部と、を備え、
前記表示素子からの画像光を、前記虚像観察光学系を経て前記観察者の眼球に入射させて虚像として観察させる、
ことを特徴とする虚像観察装置。
【発明の詳細な説明】
【技術分野】
【０００１】
本発明は、画像光を導光して虚像を観察させるための虚像観察光学系及び該虚像観察光学系を用いる虚像観察装置に関するものである。
【背景技術】
【０００２】
近年、小型の表示素子からの画像光を導光し、レンズにより拡大して虚像として観察させるための虚像観察装置が知られている（例えば、特許文献１、２参照）。かかる虚像観察装置は、表示素子からの画像光を入射させる入射面及び入射した画像光を反射させる反射面を有する導光プリズムと、反射面で反射された画像光を観察者の眼球に入射させて拡大虚像として観察させるための接眼部（レンズ）とを有する虚像観察光学系を有している。このような虚像観察光学系は、小型軽量に構成されることから、頭部に装着可能な装置に搭載することで、ウェアラブルディスプレイとして利用可能である。
【先行技術文献】
【特許文献】
【０００３】
【特許文献１】特開２０１０−１２２４７８号公報
【特許文献２】特開２０１２−２０３１１３号公報
【発明の概要】
【発明が解決しようとする課題】
【０００４】
図１０は、従来の虚像観察光学系を示すもので、（ａ）は平面図、（ｂ）は部分拡大斜視図である。図１０に示す虚像観察光学系１００は、導光プリズム１１０と接眼部１２０とを有している。導光プリズム１１０は、表示素子１３０からの画像光を入射させる入射面１１１と、入射した画像光を反射させる反射面１１２と、反射された画像光を射出する射出面１１３とを有している。接眼部１２０は、射出面１１３から射出される画像光を観察者の眼球（図示せず）に入射させて拡大虚像として観察させるためのもので、導光プリズム１１０と一体に形成されるか、あるいは別体に形成されて導光プリズム１１０に接合して設けられる。
【０００５】
ところが、図１０に示す虚像観察光学系１００を用いると、導光プリズム１１０のエッジ部を通る光線の乱れによってゴーストやボケ画像等が生じて画質が劣化することが想定される。その原因としては、例えば、導光プリズム１１０がプラスチック等の射出成形によって形成される場合、反射面１１２や射出面１１３のエッジ近傍の面精度が、ダレやバリ等の発生によって中心部と比較して悪くなることが考えられる。また、反射面１１２に反射膜（ミラーコート）をコーティングする場合は、反射膜の境界においてコーティングが不均一性となることが考えられる。なお、接眼部１２０を成形する場合も、同様に、表面エッジ近傍の面精度が中心部と比較して悪くなることが考えられる。
【０００６】
ここで、図１１に示すように、表示素子１３０からの画像光のうち、表示素子１３０の外側に向かうアッパー光線（実線で示す）については、例えば導光プリズム１１０の側面にＶ字状の溝１１４を形成することによって、反射面１１３や接眼部１２０に入射する光線を規制することができる。しかし、表示素子１３０の内側に向かうロワー光線（破線で示す）については、アッパー光線の有効光束にケラレを生じることなく溝１１４で規制することができないため、反射面１１２のエッジ部にも光線が入射することになる。
【０００７】
その結果、図１２（ａ）に示すように、反射面１１２で反射される画像光のうち、接眼部１２０の近傍の反射面１１２のエッジ部で反射される画像光が接眼部１２０の表面エッジ部に入射することになる。同様に、図１２（ｂ）に示すように、反射面１１２で反射される画像光のうち、接眼部１２０から離れた反射面１１２のエッジ部で反射される画像光が接眼部１２０の表面エッジ部に入射することになる。そして、接眼部１２０の表面エッジ部に入射した画像光は、表面エッジ部の面精度が十分でないために、表面エッジ部から乱れて射出され、その画像光が観察者の眼球に入射して画質の劣化を招くことになる。
【０００８】
したがって、かかる観点に鑑みてなされた本発明の目的は、画質の良好な虚像を観察可能な虚像観察光学系及び虚像観察装置を提供することにある。
【課題を解決するための手段】
【０００９】
上記目的を達成する本発明に係る虚像観察光学系は、
画像光を入射する入射面と、
該入射面から入射された前記画像光を反射させる反射面と、
該反射面で反射された前記画像光を射出する射出面と、を有する導光プリズムを備え、
前記導光プリズムは、前記反射面と該反射面が隣接するプリズム側面との境界の少なくとも一辺に形成された境界斜面部を有し、
前記導光プリズムの外側における前記反射面と前記境界斜面部とのなす角度が１８０度よりも小さい、
ことを特徴とするものである。
【００１０】
前記境界斜面部は、前記反射面の対向する二辺に形成されるとよい。
【００１１】
前記反射面は反射膜を有し、
前記反射膜の境界が前記境界斜面部にあるとよい。
【００１２】
前記反射面を保護する保護部材をさらに備え、
前記保護部材は、前記境界斜面部に当接して前記反射面との間に空気層を形成するとよい。
【００１３】
前記導光プリズムは、第１の反射面及び第２の反射面を有し、前記入射面から入射された前記画像光を前記第１の反射面及び前記第２の反射面を経て前記射出面から射出するものであり、
前記第１の反射面及び前記第２の反射面と前記プリズム側面とのそれぞれの境界には、前記境界斜面部が形成されており、
前記第１の反射面側の前記境界斜面部の延在方向と、前記第２の反射面側の前記境界斜面部の延在方向とが異なるとよい。
【００１４】
前記射出面から射出される前記画像光を拡大虚像として観察させるための接眼部をさらに備えるとよい。
【００１５】
さらに、上記目的を達成する本発明に係る虚像観察装置は、
表示素子と、
前記虚像観察光学系と、
前記表示素子及び前記虚像観察光学系を観察者の頭部に支持する支持部と、を備え、
前記表示素子からの画像光を、前記虚像観察光学系を経て前記観察者の眼球に入射させて虚像として観察させる、
ことを特徴とするものである。
【発明の効果】
【００１６】
本発明によれば、画質の良好な画像を観察可能な虚像観察光学系及び虚像観察装置を提供することができる。
【図面の簡単な説明】
【００１７】
【図１】第１実施の形態に係る虚像観察装置を示す斜視図である。
【図２】図１の虚像観察光学系の構成を説明するための図である。
【図３】図２の境界斜面部の傾斜角度を説明するための図である。
【図４】図２の境界斜面部の作用を説明するための図である。
【図５】図２の境界斜面部の傾斜角度を決定する説明図である。
【図６】第２実施の形態に係る虚像観察光学系の要部の構成を示す部分拡大図である。
【図７】第２実施の形態の変形例を説明するための図である。
【図８】第３実施の形態に係る虚像観察光学系の要部の構成を示す部分拡大斜視図である。
【図９】第４実施の形態に係る虚像観察光学系の構成を示す斜視図である。
【図１０】従来の虚像観察光学系の構成を説明するための図である。
【図１１】従来の虚像観察光学系における光線軌跡を説明するための図である。
【図１２】図１１の光線軌跡の部分詳細図である。
【発明を実施するための形態】
【００１８】
以下、本発明の実施の形態について、図を参照して説明する。
【００１９】
（第１実施の形態）
図１は、第１実施の形態に係る虚像観察装置を示す斜視図である。この虚像観察装置１は、いわゆる横型のもので、装置全体を観察者の頭部に固定支持するための眼鏡形状からなる支持部２と、支持部２の一方のテンプル２ａに固定された本体部３と、本体部３により一端部で支持された虚像観察光学系４と、を備える。本体部３には、表示素子や該表示素子に画像を表示するための電子回路、表示すべき画像データを本体部３の外部から有線又は無線により受信するための通信機能等が内蔵されている。また、虚像観察光学系４は、支持部２が観察者の頭部に支持された状態で、他端部が観察者の眼前に位置するように延在する。
【００２０】
図２は、図１の虚像観察光学系４を示すもので（ａ）は平面図であり、（ｂ）は部分拡大斜視図である。図２に示すように、虚像観察光学系４は、画像光を導光する導光プリズム５と、導光プリズム５により導光される画像光を観察者の眼球に入射させて拡大虚像として観察させるための接眼部６とを備える。導光プリズム５は、表示素子７からの画像光を入射する入射面５ａと、入射した画像光を反射させる反射面５ｂと、反射された画像光を射出する射出面５ｃとを有する。なお、本実施の形態において、反射面５ｂは一つであるが、入射面５ａと反射面５ｂとの間にさらに一つ以上の反射面が形成される場合もある。接眼部６は、レンズ作用を有し、導光プリズム５の射出面５ｃから射出される画像光を観察者の眼球（図示せず）に入射させて拡大虚像として観察させる。
【００２１】
ここで、表示素子７は、観察すべき画像を表示する液晶表示素子や有機ＥＬ素子等であり、図１に示した本体部３内に内蔵される。表示素子７に表示された画像の画像光は、導光プリズムプリズム４の入射面５ａに入射される。表示素子７と虚像観察光学系４の入射面５ａとの間には、表示素子７を保護するための保護窓（図示せず）を設けることが望ましい。
【００２２】
導光プリズム５は、透明な樹脂からなる一方向に長いプリズムである。導光プリズム５は、画像光の進行方向である長手方向の両端部に入射面５ａと反射面５ｂとを備える。入射面５ａと反射面５ｂとの間には、画像光の光路を取り囲むように、第１の側面８ａ、第２の側面８ｂ、第３の側面８ｃ、及び第４の側面８ｄを有している。観察者が虚像観察装置１を装着した状態で、第１の側面８ａは観察者の正面に向いて位置し、第２の側面８ｂは観察者の正面とは反対側に向いて位置する。また、第３の側面８ｃは導光プリズム５の上側に向いて位置し、第４の側面８ｄは導光プリズム５の下側に向いて位置する。すなわち、第１の側面８ａと第２の側面８ｂとは互いに対向し、第３の側面８ｃと第４の側面８ｄとは互いに対向する。
【００２３】
図２では、第１〜第４の側面８ａ〜８ｄは、平面として構成され、それぞれ入射面５ａとほぼ直交している。なお、第１〜第４の側面８ａ〜８ｄは多少の湾曲を有していても良く、また、反射面５ｂ側より入射面５ａ側の方が幅広に構成されてもよい。例えば、第３の側面８ｃと第４の側面８ｄとの間の距離は、入射面５ａ側よりも反射面５ｂ側の方が狭くなるよう構成されてもよい。
【００２４】
反射面５ｂは、導光プリズム５の長手方向に対して、内側面を観察者側に向けて約４５度傾斜した斜面として形成される。反射面５ｂは、導光プリズム５内を長手方向に進行する画像光が全反射されるように形成される。射出面５ｃは、導光プリズム５の反射面５ｂ側の端部において第１の側面８ａに形成される。
【００２５】
接眼部６は、導光プリズム５の射出面５ｃに設けられる。すなわち、接眼部６は、射出面５ｃから射出される画像光を眼球に入射させるように第１の側面８ａに設けられる。接眼部６は、例えば凸面として導光プリズム５と一体に成形される。このように、導光プリズム５及び接眼部６を樹脂等により一体成型することによって、虚像観察光学系４を大量且つ安価に製造することが可能になる。しかし、接眼部６は、導光プリズム５と別体に形成して、平面として形成された第１の側面８ａの射出面５ｃ上に接合してもよい。
【００２６】
本実施の形態において、導光プリズム５は、反射面５ｂの対向する二辺に形成された境界斜面部９ａ及び９ｂを有する。境界傾斜部９ａは、反射面５ｂと、反射面５ｂが隣接する第１の側面８ａとの境界に形成されている。境界傾斜部９ｂは、反射面５ｂと、反射面５ｂが隣接する第２の側面８ｂとの境界に形成されている。つまり、境界斜面部９ａ及び９ｂは、射出面５ｃから射出される画像光の射出領域の左右の辺に対応する反射面５ｂの対向する二辺に形成されている。境界斜面部９ａ及び９ｂは、図３に示すように、導光プリズム５の外側における反射面５ｂとなす傾斜角度θａ及びθｂが、それぞれ１８０度よりも小さく形成されている。なお、傾斜角度θａ及びθｂは、等しくても良いし、異なっても良い。
【００２７】
かかる構成によれば、境界斜面部９ａ及び９ｂの傾斜角度θａ及びθｂを、反射面５ｂに対して１８０度より小さい角度とすることで、境界斜面部９ａ及び９ｂに入射する画像光を観察者の眼球とは異なる方向に反射又は透過させることできる。これにより反射面５ｂを導光プリズム５の外形よりも狭い絞りとして機能させることができる。すなわち、射出面５ｃにおける画像光の左右の射出領域を規定することができる。
【００２８】
例えば、図４（ａ）に示すように、接眼部６の近傍の反射面５ｂａ境界斜面部９ａに入射した画像光は、観察者の眼球とは異なる方向に反射させることができる。また、図４（ｂ）に示すように、接眼部６から離れた反射面５ｂの境界斜面部９ｂに入射した画像光は、観察者の眼球とは異なる方向に反射又は透過させることができる。したがって、ゴーストやボケ画像等の発生を軽減でき、画質の良好な画像を観察することが可能となる。また、反射面５ｂの対向する二辺に境界斜面部９ａ及び９ｂを設けることで、ユーザが導光プリズム５の反射面５ｂ側端部を指で触ったり、端部が他の物体に接触したりした際にも、境界斜面部９ａ及び９ｂがバンパーとなって、反射面５ｂへの傷付きを防止することができる。これにより、長期間に亘って画質の良好な画像の観察が可能となる。
【００２９】
ここで、境界斜面部９ａの傾斜角度θａについて、図５（ａ）及び（ｂ）を参照してさらに詳細に説明する。図５（ａ）において、反射面５ｂ側の二点鎖線は、境界斜面部９ａ及び９ｂを形成しない場合の反射面を示している。また、光線Ｌ１は、表示素子７から導光プリズム５に入射されて境界斜面部９ａに向かう光線Ｌが、境界斜面部９ａの内面で反射されて瞳孔の外側に向かう光線を示す。また、光線Ｌ２は、境界斜面部９ａが形成されない場合に上記の光線Ｌが反射面５ｃで反射されて、接眼部６の表面エッジ部を通過して瞳孔に入射する光線を示す。
【００３０】
図５（ａ）において、観察者の眼球Ｅの瞳孔半径をＰ、接眼部６の半径をＤ、アイリリーフをＷとしたとき、光線Ｌ１の接眼光軸Ｏに対する最小傾斜角度αは、α＝ａｔａｎ（Ｄ−ｐ）／Ｗより導くことができる。ここで、Ｐを８ｍｍ、Ｄを５ｍｍ、Ｗを１８ｍｍとすると、αは−９．６度となる。なお、瞳孔半径Ｐは、一般的には４ｍｍ程度であるが、暗所ではそれよりも大きくなる。さらに、接眼光軸Ｏと眼の光軸に多少のズレが生じても、光線Ｌ１が瞳孔の外に逃げるようにするために、最小傾斜角度αを設定するのが好ましい。具体的には、便宜的に上記式のＰに余裕を持たせ、Ｐ＝８ｍｍとしてαを計算すればよい。
【００３１】
一方、虚像の画角をωとすると、光線Ｌ２の接眼光軸Ｏに対する最大傾斜角はω／２となる。この場合、光線Ｌ１の光線Ｌ２に対する最小開き角度をθｃとすると、θｃ＝ω／２−α＝１４．６度となる。さらに、光線Ｌ１をθｃ傾けるための境界斜面部９ａの反射面５ｂに対する傾斜角度θａは、１８０度−（θｃ／ｎ）／２となる。ここで、ｎは導光プリズム５の屈折率であり、ｎ＝１．５とすると、反射面５ｂにする境界斜面部９ａの傾斜角度θａは、１７５度となる。よって、この場合、θａは１７５度以下とするのが好ましい。これにより、エッジを通過する光線を観察者の瞳孔の外側へ逃がすことができるので、画質の低下を防ぐことができる。また、接眼部６の表面エッジ部周囲で面精度の悪い領域は、接眼部６の表面エッジ部から内側に、例えば０．２ｍｍ程度である。したがって、図５（ａ）において、境界斜面部９ａに対応する射出面５ｃの寸法ｄは、０．２ｍｍ以上とするのが好ましい。これにより、接眼部６の表面エッジ部から０．２ｍｍ以上内側を遮光する絞りを接眼部６の直前に配置したのと同等の効果が得られる。
【００３２】
また、図５（ｂ）に示すように、境界斜面部９ａで反射された光線を接眼部６の側面エッジ部から射出させる場合は、傾斜角度θａを以下のように決定することができる。なお、この場合、アッパー光線が接眼部６の側面エッジ部から抜ける条件であれば、他の光線も抜けることからアッパー光線を参照する。表示素子７から反射面５ｂの先端部までの光路長を約２５ｍｍ、また導光プリズム５の屈折率は、１．５とし、図５（ｂ）の表示素子７の上側から反射面５ｂの先端までのアッパー光線の上下方向のシフト量を２ｍｍとする。この場合、アッパー光線の光軸に対する角度は約４．５度/１．５＝３度となる。なお、図５（ｂ）において、接眼部６の周囲側面は、導光プリズム５の射出面５ｃの法線に対して５度程度傾斜しているとする。
【００３３】
この場合、接眼部６の側面エッジ部から光線を射出させるためには、接眼部６の側面に入射する光線の入射角を、約４２度以下とすればよい。その条件を満たすためには、境界斜面部９ａを反射面５ｂよりも約２２．５度以上傾いた斜面とすればよい。したがって、境界斜面部９ａの傾斜角度θａは、１５７．５度以下とするのが好ましい。なお、境界斜面部９ｂの傾斜角度θｂについても、上述した傾斜角度θａの場合と同様にして決定することができる。
【００３４】
（第２実施の形態）
図６は、第２実施の形態に係る虚像観察光学系の要部の構成を拡大して示すもので、（ａ）は平面図であり、（ｂ）は斜視図である。図６に示す虚像観察光学系４は、第１実施の形態の虚像観察光学系４において、導光プリズム５の第３の側面８ｃ及び第４の側面８ｄと境界をなす反射面５ｂの対向する二辺にも境界斜面部９ｃ及び９ｄを形成したものである。つまり、射出面５ｃから射出される画像光の射出領域の上下の辺に対応する反射面５ｂの対向する二辺にも、境界斜面部９ｃ及び９ｄを形成したものである。したがって、境界斜面部９ａ及び９ｂと、境界斜面部９ｃ及び９ｄとは、延在方向が異なっている。境界斜面部９ｃ及び９ｄは、導光プリズム５の外側における反射面５ｂとなす傾斜角度が、それぞれ１８０度よりも小さい角度で、上述した境界斜面部９ａ及び９ｂと同様に決定される。
【００３５】
このように、反射面５ｂの周囲の四辺に境界斜面部９ａ〜９ｄを形成すれば、射出面５ｃにおける画像光の上下左右の射出領域を規定して、接眼部６の表面エッジ部に画像光が入射するのを防止できる。したがって、より画質の良好な画像を観察することが可能になるとともに、反射面５ｂに対するバンパー効果もより高めることができる。
【００３６】
また、反射面５ｂの周囲の四辺に境界斜面部９ａ〜９ｄを形成すれば、図７に示すように、反射面５ｂにミラーコート（反射膜）１０を施す場合に、ミラーコート１０の境界を境界斜面部９ａ〜９ｄに位置させることができる。これにより、反射面５ｂ内のミラーコート１０の均一性を向上できる。また、ミラーコート１０が導光プリズムの第１〜４の側面８ａ〜８ｄ側に回り込むことがないので、外観を損なうこともない。
【００３７】
（第３実施の形態）
図８は、第３実施の形態に係る虚像観察光学系の要部の構成を示す部分拡大斜視図である。図８に示す虚像観察光学系４は、第１実施の形態に示した虚像観察光学系４において、導光プリズム５の反射面５ｂを保護する保護部材１１を有する。保護部材１１は、境界斜面部９ａ及び９ｂに当接し、反射面５ｂとの間に空気層１２を形成して設けられる。なお、図８では、保護部材１１を、反射面５ｃ、第２の側面８ｂ及び接眼部６の一部を保護するように設けているが、保護部材１１は、反射面５ｃのみ、あるいは導光プリズム５の入射面５ａ（図２参照）及び接眼部６の射出面を除いて、導光プリズム５の全体を保護するように設けてもよいし、反射面５ｂを含む導光プリズム５の端部を保護するように設けてもよい。
【００３８】
このように、反射面５ｂを保護部材１１により保護すれば、反射面５ｂの汚れや損傷を確実に防止できるので、良好な画像表示を維持することができる。また、境界斜面部９ａ及び９ｂを保護部材１１の当接面として利用して、反射面５ｂと保護部材１１との間に空気層１２を形成すれば、反射面５ｂにミラーコートを設けなくても画像光を確実に全反射させることができるので、光の利用効率を向上でき、明るい画像の観察が可能となる。なお、このような保護部材１１は、第２実施の形態で説明した導光プリズム５にも同様に設けることができる。
【００３９】
（第４実施の形態）
図９は、第４実施の形態に係る虚像観察光学系の構成を示す斜視図である。図９に示す虚像観察光学系４は、第１実施の形態に示した虚像観察光学系４において、導光プリズム５の入射面５ａが第３の側面８ｃに形成されている。また、導光プリズム５は、入射面５ａから入射された画像光を反射面５ｂに向けて反射させる反射面５ｄを有する。反射面５ｄは、画像光の反射方向が反射面５ｂにおける反射方向と直交している。入射面５ａから入射される画像光は、第１の反射面に相当する反射面５ｄで反射された後、第２の反射面に相当する反射面５ｂで反射されて、射出面５ｃから接眼部６を経て射出される。
【００４０】
反射面５ｄには、射出面５ｃから射出される画像光の射出領域の上下の辺に対応する対向する二辺に境界斜面部９ｅ及び９ｆが形成されている。反射面５ｂには、第１実施の形態に示した導光プリズム５と同様に、射出面５ｃから射出される画像光の射出領域の左右の辺に対応する対向する二辺に境界斜面部９ａ及び９ｂが形成されている。
【００４１】
かかる構成の虚像観察光学系４によると、反射面５ｄに形成された境界斜面部９ｅ及び９ｆ、反射面５ｂに形成された境界斜面部９ａ及び９ｂによって、第２実施の形態と同様に、射出面５ｃにおける画像光の上下左右の射出領域を規定して、接眼部６の表面エッジ部に画像光が入射するのを防止できる。したがって、第２実施の形態と同様の効果が得られる。なお、反射面５ｄは、射出面５ｃに対して反射面５ｂよりも遠方、つまり入射面５ａ側に位置するため、境界斜面部９ｅ及び９ｆの幅は、反射面５ｂの境界斜面部９ａ及び９ｂの幅よりも大きくするとよい。
【００４２】
なお、本発明は、上記実施の形態にのみ限定されるものではなく、幾多の変形または変更が可能である。例えば、導光プリズムは、側面に図１１に示したようなＶ字状の溝が形成されてもよい。また、虚像観察光学系は、接眼部を有しない導光プリズムのみで構成されてもよい。
【符号の説明】
【００４３】
１  虚像観察装置
２  支持部
３  本体部
４  虚像観察光学系
５  導光プリズム
５ａ  入射面
５ｂ  反射面
５ｃ  射出面
５ｄ  反射面
６  接眼部
７  表示素子
８ａ〜８ｄ  側面
９ａ〜９ｆ  境界傾斜部
１０  ミラーコート
１１  保護部材
１２  空気層
【図１】
2015179200.tif 000003
【図２】
2015179200.tif 000004
【図３】
2015179200.tif 000005
【図４】
2015179200.tif 000006
【図５】
2015179200.tif 000007
【図６】
2015179200.tif 000008
【図７】
2015179200.tif 000009
【図８】
2015179200.tif 000010
【図９】
2015179200.tif 000011
【図１０】
2015179200.tif 000012
【図１１】
2015179200.tif 000013
【図１２】
2015179200.tif 000014